(57)【要約】  配電盤やコントロールセンタなどの盤装置における盤面の色表示を容易に変更可能とし、盤装置の盤面につき色表示に関する仕様変更が発生した場合も、容易に対処可能とする。表示部２と操作部３とを有し盤装置本体に搭載される保護継電装置または計測装置などの機器要素１を備え、機器要素１は前記盤装置本体の盤面に設けられる四辺形の正面パネル４を有し、正面パネル４には表示部２の表示画面領域と操作部３の操作画面領域とを設定するための画面領域設定部分ＤＲ，ＰＲが形成されるとともに、正面パネル４は正面パネル４に相当する他の色のパネル５，６からなる盤面部材と交換可能とした。
2018047521.tif 000002
【特許請求の範囲】
【請求項１】
表示部と操作部とを有し盤装置本体に搭載される機器要素を備え、前記機器要素は前記盤装置本体の盤面に設けられる正面パネル部を有するものであって、前記正面パネル部には前記表示部の表示画面領域と前記操作部の操作画面領域とを設定するための画面領域設定部分が形成されるとともに、前記正面パネル部全体またはその一部を他の色の盤面部材と交換可能とし、あるいは、前記表示部の表示画面または前記操作部の操作画面の画面設定を変更して、前記正面パネル部全体またはその一部あるいは前記表示部の表示画面または前記操作部の操作画面の色を変えるようにしたことを特徴とする盤装置。
【請求項２】
表示部と操作部とを有し盤装置本体に搭載される機器要素を備え、前記機器要素は前記盤装置本体の盤面に設けられる四辺形の正面パネル部を有し、前記正面パネル部には前記表示部の表示画面領域と前記操作部の操作画面領域とを設定するための画面領域設定部分が形成されるとともに、前記正面パネル部全体もしくはその一部を前記正面パネル部全体に相当する他の色の盤面部材もしくは前記正面パネル部分の対向する二辺間を結ぶ所定幅を持つ他の色の盤面部材と交換可能としたことを特徴とする盤装置。
【請求項３】
前記画面領域設定部分が形成された前記正面パネル部を他の色の盤面部材と交換可能としたことを特徴とする請求項２に記載の盤装置。
【請求項４】
前記正面パネル部の一部を、前記表示部または前記操作部の表示画面領域を設定するための画面領域設定部分を含み前記正面パネルの対向する二辺間を結ぶ所定幅を持つ他の色の盤面部材と交換可能としたことを特徴とする請求項２に記載の盤装置。
【請求項５】
前記正面パネル部の一部を、前記画面領域設定部分を含まない前記正面パネルの対向する二辺間を結ぶ所定幅を持つ他の色の盤面部材と交換可能としたことを特徴とする請求項２に記載の盤装置。
【請求項６】
前記正面パネル部の周縁に連接して前記盤装置本体の盤面に設けられる側面パネル部を有するとともに、前記正面パネル部と前記側面パネル部とを前記正面パネル部および前記側面パネル部に相当する他の色の盤面部材と交換可能としたことを特徴とする請求項２に記載の盤装置。
【請求項７】
表示部と操作部とを有し盤装置本体に搭載される機器要素を備え、前記機器要素は前記盤装置本体の盤面に前記表示部の表示画面領域と前記操作部の操作画面領域とが設定されるとともに、前記表示部の表示画面と前記操作部の操作画面の少なくとも一方は光源としてバックライトを有する表示装置または発光素子を用いた表示装置によって構成され、前記バックライトを有する表示装置の光源色または前記発光素子を用いた表示装置の点灯色を変更することで、盤装置の盤面における色による識別を可能としたことを特徴とする盤装置。
【請求項８】
表示部と操作部とを有し盤装置本体に搭載される機器要素を備え、前記機器要素は前記盤装置本体の盤面に設けられる正面パネル部を有し、前記正面パネル部には前記表示部の表示画面領域と前記操作部の操作画面領域とを設定するための画面領域設定部分が形成されるとともに、前記画面領域設定部分を除く前記正面パネル部が光源としてバックライトを有する表示装置または発光素子を用いた表示装置で構成され、前記バックライトを有する表示装置の光源色または前記発光素子を用いた表示装置の点灯色を変更することで、盤装置の盤面における色による識別を可能としたことを特徴とする盤装置。
【発明の詳細な説明】
【技術分野】
【０００１】
この発明は、保護継電装置や計測装置などの機器要素を搭載する配電盤やコントロールセンタなどの盤装置に関する。
【背景技術】
【０００２】
配電盤やコントロールセンタなどの盤装置における盤面の塗装色は、通常標準色が規定されている。しかし、ユーザによっては、例えば配電盤の適用設備ごとに標準色以外の色での塗装を指定されることがあり、この要求に応えるためには別途ユーザが指定する色の塗料を準備し、盤面全体を塗装する必要があった。特高盤はグレー、二重系のフィーダ盤は、それぞれ青とピンク等のように指定されることがある。これらの塗装には専用色が必要のため、配電盤の価格上昇要因となっていた。また、仕様変更が発生した場合には、配電盤の塗装を塗り直す場合があった。
なお、この発明のような盤装置とは異なるが、電気機器のハウジングにおいて、顧客の要求する色を付す技術が特許文献１に記載されている。
【先行技術文献】
【特許文献】
【０００３】
【特許文献１】特開平１０−２５７６１８（段落［０００４］、図３）
【発明の概要】
【発明が解決しようとする課題】
【０００４】
この発明は、盤装置における識別のための盤面での色表示を容易に行わせることができ、また、その色表示を簡潔な手法で変更可能とすることを目的とする。
なお、特許文献１には、電気機器のハウジングにおいて、顧客の要求する色を付すことが記載されているが、ハウジングはガラス繊維補強のポリエステルであり、必要に応じて盤面の色表示を変更するというものではなく、色表示による識別を行うものではない。
【課題を解決するための手段】
【０００５】
この発明に係る盤装置は、表示部と操作部とを有し盤装置本体に搭載される機器要素を備え、前記機器要素は前記盤装置本体の盤面に設けられる正面パネルを有するものであって、前記正面パネルには前記表示部の表示画面領域と前記操作部の操作画面領域とを設定するための画面領域設定部分が形成されるとともに、前記正面パネル全体またはその一部を他の色の盤面部材と交換可能とし、あるいは、前記表示部の表示画面または前記操作部の操作画面の画面設定を変更して、前記正面パネル全体またはその一部あるいは前記表示部の表示画面または前記操作部の操作画面の色を変えるようにしたものである。
【発明の効果】
【０００６】
この発明によれば、盤装置における盤面の色表示を容易に変更することができ、盤装置の盤面につき色表示に関する仕様変更が発生した場合も、容易に対処可能となる。
【図面の簡単な説明】
【０００７】
【図１】この発明に係る実施の形態１における盤装置に搭載される機器要素の正面パネル部全体を交換可能とした場合の図で、（ａ）は交換可能な部位を斜線で示す機器要素の斜視図、（ｂ）（ｃ）は交換パネルを示す正面図である。
【図２】配電盤に搭載される保護継電装置や計測装置からなる機器要素の一般的な構成を示す概略斜視図である。
【図３】この発明に係る実施の形態１における機器要素を搭載した盤装置を示す斜視図である。
【図４】この発明に係る実施の形態２における機器要素で正面パネル部の表示部周辺を交換可能とした場合の図で、（ａ）は交換可能な部位を斜線で示す機器の斜視図、（ｂ）（ｃ）は交換パネルを示す正面図である。
【図５】この発明に係る実施の形態２における機器要素を搭載した盤装置を示す斜視図である。
【図６】この発明に係る実施の形態３における機器要素の正面パネル部の上端部を交換可能とした場合の図で、（ａ）は交換可能な部位を斜線で示す機器の斜視図、（ｂ）（ｃ）は交換パネルを示す正面図である。
【図７】この発明に係る実施の形態３における機器要素の正面パネル部の右端部を交換可能とした場合の図で、（ａ）は交換可能な部位を斜線で示す機器要素の斜視図、（ｂ）（ｃ）は交換パネルを示す正面図である。
【図８】この発明に係る実施の形態３における機器要素を搭載した盤装置を示す斜視図である。
【図９】この発明に係る実施の形態４における機器要素の正面パネル部ならびに側面パネル部を交換可能とした場合の図で、（ａ）は交換可能な部位を斜線で示す機器要素の斜視図、（ｂ）（ｃ）は交換パネルを示す斜視図である。
【図１０】この発明に係る実施の形態５における機器要素の正面パネルに設けた表示部で使用するＬＣＤバックライトまたはＬＥＤ等の発光素子の点灯色を用途により変更可能とした場合の図で、（ａ）は表示部の発光素子を色識別用として特定の色に点灯させた場合の斜視図、（ｂ）は標準色に戻した場合の斜視図である。
【図１１】この発明に係る実施の形態５における機器要素を搭載した盤装置を示す斜視図である。
【図１２】この発明に係る実施の形態６における機器要素の正面パネル部全体で使用するＬＣＤバックライトまたはＬＥＤ等の発光素子の点灯色を用途により変更可能とした場合の斜視図である。
【発明を実施するための形態】
【０００８】
以下、この発明に係る実施の形態について説明する。図２は配電盤に搭載される保護継電装置や計測装置の一般的な構造を示す。保護継電装置や計測装置などの機器要素１は一般的にＬＣＤと称される液晶表示装置やＬＥＤなどの発光素子により構成される表示部２および操作部３等を備えている。表示部２は入力された電圧・電流や当該装置の機器稼働状態を示すものであり、操作部３は操作用のスイッチ類により構成され画面の切り替えや設定の変更等を行うものである。
従来装置では、機器要素１の正面に脱着可能な保護カバーなどが装着されているものもあるが、あくまで表示部２や操作部３の保護を目的としたものであり、必要に応じて盤面の色表示を変更するというものではなく、色表示による識別を行うものではない。
【０００９】
実施の形態１．
この発明に係る実施の形態１を図１から図３までについて説明する。図１はこの発明に係る実施の形態１における盤装置に設けられる機器要素の構成を示す斜視図および正面図である。図１（ａ）は交換可能な部位を斜線で示す機器の斜視図、図１（ｂ）（ｃ）は交換パネルを示す正面図である。図２は配電盤に搭載される保護継電装置や計測装置の一般的な構造を示す斜視図である。図３はこの発明に係る実施の形態１における機器要素を搭載した盤装置を示す斜視図である。
前述のように、配電盤に搭載される保護継電装置や計測装置の一般的な構造においては、図２に示す通り、保護継電装置や計測装置からなる機器要素１はその本体部前面に正面パネル部ＦＰを有し、正面パネル部ＦＰには表示部２および操作部３が設けられている。
このような保護継電装置や計測装置からなる機器要素１は、図３に示す盤装置本体７〜１０にそれぞれ搭載される。
この実施の形態１では、正面パネル部ＦＰを構成する正面パネル４として配電盤ユーザの指定する色で着色した板状のパネルもしくはシール状のシートからなる盤面部材を用意し、この盤面部材は保護継電装置や計測装置などの機器要素１の正面全体を覆うことのできる大きさで正面パネル部ＦＰを構成するものとする。さらにこのパネルもしくはシートからなる盤面部材は機器要素１の本体部正面に脱着可能な構造とする。このパネルおよびシートからなる盤面部材は異なる色で着色し複数種類用意する。なお、盤面部材を構成するこのパネルは樹脂や金属を加工したものに着色したものや、シール状のシートである。図１（ａ）に示される正面パネル４は第１の表示色、図１（ｂ）に示される正面パネル５は第２の表示色、図１（ｃ）に示される正面パネル６は第３の表示色で着色されており、ユーザの指定する色パネルまたはシートを機器要素１の本体部前面に正面パネル部ＦＰとして装着する。
これらの正面パネル４〜６には、表示部２の表示画面領域を設定するための画面領域設定部分ＤＲと操作部３の操作画面領域を設定するための画面領域設定部分ＰＲとがそれぞれ形成されている。
【００１０】
なお、正面パネル４を構成する盤面部材を機器要素１の本体部に固定する手法としては、正面パネル４のパネル本体部分もしくは機器要素１の本体部に設けた爪で相互の対向部を固定する手法、ねじで固定する手法、またはパネル裏に粘着テープを貼り付けて固定する手法等がある。正面パネル４からなる盤面部材がシートの場合は、粘着テープにて機器要素１の本体部に貼り付ける手法、シートの上から保護カバー等を装着する手法がある。
【００１１】
図３は盤装置本体ＰＢにおける配電盤単体７〜９へ実施の形態１における正面パネル４〜６からなる盤面部材を有する機器要素１を搭載した場合の斜視図を示す。受電用の配電盤単体７に搭載した保護継電装置または計測装置には第１の表示色１のパネルからなる正面パネル４を、母線用の配電盤単体８には第２の表示色２のパネルからなる正面パネル５を、フィーダ用の配電盤単体９には第３の表示色３のパネルからなる正面パネル６をそれぞれ装着している。右端の予備用の配電盤単体１０は正面パネル無しとし、将来用途が決定した時に用途に応じた色のパネルを追加できるようにしている。
【００１２】
この発明に係る実施の形態１においては、配電盤の用途によって配電盤保護継電装置または計測装置からなる機器要素の正面パネルの色を変えることで、配電盤を塗装する必要なく、一目でその配電盤の用途を識別することができる。また、ユーザからの色変更要求が発生した場合でも、配電盤を塗装し直す必要は無く、保護継電装置または計測装置の正面パネルを新しい色のパネルに交換するのみで、ユーザの希望に応えることができる。
この結果、配電盤用専用色塗料の準備が不要となり、またユーザからの仕様変更要求に対しても迅速に対応することができる。
【００１３】
この発明に係る実施の形態１では、表示部２と操作部３とを有し配電盤などの盤装置本体ＰＢに搭載される保護継電装置または計測装置などの電気機器からなる機器要素１を備え、前記機器要素１は盤装置本体ＰＢの盤面に設けられる四辺形の正面パネル部ＦＰ全体に設けられる四辺形の正面パネル４を有し、正面パネル部ＦＰとしての正面パネル４には表示部２の表示画面領域を設定するための画面領域設定部分ＤＲと操作部３の操作画面領域を設定するための画面領域設定部分ＰＲとが形成されるとともに、前記正面パネル４からなる盤面部材を正面パネル４からなる盤面部材全体に相当する他の色の盤面部材と交換可能としたものであって、前記画面領域設定部分ＤＲ，ＰＲが形成された前記正面パネル４からなる盤面部材を他の色の盤面部材と交換可能としたものである。
この構成により、盤装置における盤面の色表示を容易に変更することができ、盤装置の盤面につき色表示に関する仕様変更が発生した場合も、容易に対処可能となる。
【００１４】
実施の形態２．
この発明に係る実施の形態２を図４および図５について説明する。図４は表示部周辺のパネルまたはシートからなる盤面部材のみ交換可能とした場合の構成を示す。保護継電装置または計測装置などの機器要素における構造上もしくは意匠の問題により、正面パネル全面における盤面部材の交換が困難である場合に、この方式を採用する。この方式の場合、交換可能な部分以外は、その装置の標準色に着色する。図５は図４の装置を配電盤からなる盤装置本体に搭載した状態の斜視図である。
【００１５】
この実施の形態２においては、機器要素１における四辺形の正面パネル部ＦＰの一部を構成し正面パネル部ＦＰの左右に対向する二辺を結びその一辺から他辺に向けて延在する短冊状パネル１１からなる盤面部材が設けられている。この短冊状パネル１１には表示部２の表示画面領域を設定するための画面領域設定部分ＤＲが形成されている。この短冊状パネル１１からなる盤面部材は、図４（ａ）に示す短冊状パネル１１と同一の形状を有しそれぞれ異なる色を持つ図４（ｂ）（ｃ）に示す短冊状パネル１２，１３と交換可能とされる。
このように、正面パネル部ＦＰの一部を、表示部２の表示画面領域を設定するための画面領域設定部分ＤＲを含み正面パネル部ＦＰの対向する二辺間を結ぶ所定幅を持つ他の色の短冊状パネル１２，１３からなる盤面部材と交換可能とすることにより、正面パネル部ＦＰにおける左右の二辺を結び所定幅を持つ表示部２周辺の色表示を容易に変えることができ、作業者が注視する表示部２周辺の色による識別表示によって識別機能を効果的に行うことができる。
【００１６】
なお、正面パネル部ＦＰの一部を、操作部３の操作画面領域を設定するための画面領域設定部分ＰＲを含み正面パネル部ＦＰの対向する二辺間を結ぶ所定幅を持つ他の色の短冊状パネルからなる盤面部材と交換可能とすることもでき、作業者が操作時に注視する操作部３周辺の色による識別表示によって識別機能を効果的に行うことができる。
【００１７】
図５は盤装置本体ＰＢにおける配電盤単体７〜９へ実施の形態２における短冊状パネル１１〜１３からなる盤面部材を有する機器要素１を搭載した場合の斜視図を示す。受電用の配電盤単体７に搭載した保護継電装置または計測装置には第１の表示色１のパネルからなる短冊状パネル１１を、母線用の配電盤単体８には第２の表示色２のパネルからなる短冊状パネル１２を、フィーダ用の配電盤単体９には第３の表示色３のパネルからなる正面パネル１３をそれぞれ装着している。右端の予備用の配電盤単体１０は正面パネル無しとし、将来用途が決定した時に用途に応じた色のパネルを追加できるようにしている。
この実施の形態２においては、実施の形態１と比較して、色表示を行うパネルの面積は小さくなるが、配電盤の用途識別等の識別機能は十分に可能であり、効果的な識別作用を奏することができる。
【００１８】
この発明に係る実施の形態２では、表示部２と操作部３とを有し配電盤などの盤装置本体ＰＢに搭載される保護継電装置または計測装置などの電気機器からなる機器要素１を備え、この機器要素１は盤装置本体ＰＢの盤面に設けられる四辺形の正面パネル部ＦＰを有するともに、正面パネル部ＦＰの一部に相当する盤面部材について、表示部２または操作部３の表示画面領域を設定するための画面領域設定部分ＤＲまたは画面領域設定部分ＰＲを含み正面パネル部ＦＰの対向する二辺間を結ぶ所定幅を持つ他の色の短冊状パネル１２または短冊状パネル１３からなる盤面部材と交換可能とした。
この構成により、盤装置での正面パネル部ＦＰにおける左右の二辺を結び所定幅を持つ表示部２周辺または操作部３周辺の色表示を容易に変えることができ、作業者が注視する表示部２周辺または操作部３周辺の色を変えることで識別表示を効果的に行うことができて、盤装置の盤面につき色表示に関する仕様変更が発生した場合も、容易に対処可能となる。
【００１９】
実施の形態３．
この発明に係る実施の形態３を図６から図８までについて説明する。図６，図７は保護継電装置または計測装置からなる機器要素における正面パネル部の一部分のみのパネルを交換可能とした場合の構成を示す。装置の構造または意匠の問題により、正面パネル部の一部分のみパネル交換が可能な場合に、この方式を採用する。図６は交換パネルの形状を横長とした場合、図７は交換パネルの形状を縦長とした場合の例である。図８は、図６の装置を配電盤からなる盤装置本体に搭載した状態の斜視図である。
【００２０】
この実施の形態３では、図６に示すように、機器要素１における四辺形の正面パネル部ＦＰの一部を構成し正面パネル部ＦＰの左右に対向する二辺を結びその一辺から他辺に向けて延在する短冊状パネル１４からなる盤面部材が設けられている。短冊状パネル１４は正面パネル部ＦＰにおける表示部２の表示画面領域および操作部３の操作画面領域以外の部分において正面パネル部ＦＰの二辺間を結ぶ所定幅を持つものであって、表示部２の表示画面領域を設定するための画面領域設定部分ＤＲおよび操作部３の操作画面領域を設定するための画面領域設定部分ＰＲは形成されていない。この短冊状パネル１４からなる盤面部材は、図６（ａ）に示す短冊状パネル１４と同一の形状を有しそれぞれ異なる色を有する図６（ｂ）（ｃ）に示す短冊状パネル１５，１６と交換可能とされる。
このように、正面パネル部ＦＰの一部を構成する短冊状パネル１４を、正面パネル部ＦＰの左右に対向する二辺間を結ぶ所定幅を持つ他の色の短冊状パネル１５，１６からなる盤面部材と交換可能とすることにより、正面パネル部ＦＰにおける左右の二辺を結ぶ所定幅の色表示を容易に変えることができて、識別機能を効果的に行うことができる。
【００２１】
また、図７に示すように、機器要素１における四辺形の正面パネル部ＦＰの一部を構成し正面パネル部ＦＰの上下に対向する二辺を結びその一辺から他辺に向けて延在する短冊状パネル１４からなる盤面部材が設けることもできる。この短冊状パネル１４は正面パネル部ＦＰにおける表示部２の表示画面領域および操作部３の操作画面領域以外の部分において正面パネル部ＦＰの二辺間を結ぶ所定幅を持つものであって、表示部２の表示画面領域を設定するための画面領域設定部分ＤＲおよび操作部３の操作画面領域を設定するための画面領域設定部分ＰＲは形成されていない。この短冊状パネル１４からなる盤面部材は、図６（ａ）に示す短冊状パネル１４と同一の形状を有しそれぞれ異なる色を有する図６（ｂ）（ｃ）に示す短冊状パネル１５，１６と交換可能とされる。
このように、正面パネル部ＦＰの一部を構成する短冊状パネル１４を、正面パネル部ＦＰの上下に対向する二辺間を結ぶ所定幅を持つ他の色の短冊状パネル１５，１６からなる盤面部材と交換可能とすることにより、正面パネル部ＦＰにおける上下の二辺を結ぶ所定幅の色表示を容易に変えることができて、識別表示を効果的に行うことができる。
【００２２】
図８は盤装置本体ＰＢにおける配電盤単体７〜９へ実施の形態３における短冊状パネル１４〜１６からなる盤面部材を有する機器要素１を搭載した場合の斜視図を示す。受電用の配電盤７に搭載した保護継電装置または計測装置からなる機器要素１には第１の表示色１のパネルからなる短冊状パネル１４を、母線用の配電盤８には第２の表示色２のパネルからなる短冊状パネル１５を、フィーダ用の配電盤９には第３の表示色３のパネルからなる正面パネル１６をそれぞれ装着している。右端の予備用の配電盤１０は正面パネル無しとし、将来用途が決定した時に用途に応じた色のパネルを追加できるようにしている。
この実施の形態３においては、実施の形態２と比較して、色表示を行うパネルの面積は同等もしくは小さくなるが、配電盤の用途識別等の識別機能は十分に可能であり、効果的な識別作用を奏することができる。
【００２３】
この発明に係る実施の形態３では、表示部２と操作部３とを有し配電盤などの盤装置本体ＰＢに搭載される保護継電装置または計測装置などの電気機器からなる機器要素１を備え、機器要素１は前記盤装置本体ＰＢの盤面に設けられる四辺形の正面パネル部ＦＰを有するともに、正面パネル部ＦＰの一部に相当する短冊状パネル１４からなる盤面部材を、表示部２または操作部３の表示画面領域を設定するための画面領域設定部分ＤＲ，ＰＲを含まず正面パネル部ＦＰの対向する二辺間を結ぶ所定幅を持つ他の色の短冊状パネル１５または短冊状パネル１６からなる盤面部材と交換可能とした。
この構成により、盤装置での正面パネル部ＦＰにおける対向する二辺を結ぶ所定幅の色表示を極めて容易に変えることができるものであって、盤装置の盤面における識別表示を効果的に行うことができて、盤装置の盤面につき色表示に関する仕様変更が発生した場合も、容易に対処可能となる。
【００２４】
実施の形態４．
この発明に係る実施の形態４を図９について説明する。図９は保護継電装置または計測装置からなる機器要素における正面パネル部に加えて側面パネル部を交換可能とした構造を示す。この場合は、保護継電装置または計測装置からなる機器要素の側面パネル部が盤装置本体の盤面より一部突出するよう配置されるとその効果が大きくなる。
【００２５】
この実施の形態４においては、前述した実施の形態１におけると同様に、表示部２と操作部３とを有し配電盤などの盤装置本体ＰＢに搭載される保護継電装置または計測装置などの電気機器からなる機器要素１を備え、前記機器要素１は盤装置本体ＰＢの盤面に設けられる四辺形の正面パネル部ＦＰを有している。そして、四辺形の正面パネル部ＦＰの周縁に連接して前記盤装置本体の盤面に設けられる側面パネル部ＳＰが設けられており、正面パネル部ＦＰおよび側面パネル部ＳＰを一体として構成する盤面部材として角盆状パネル１７が設けられている。角盆状パネル１７の側面パネル部ＳＰに相当する角筒部は前記盤装置本体ＰＢ（図３参照）の盤面から前方に突出して配設されるものである。
正面パネル部ＦＰおよび側面パネル部ＳＰに相当する盤面部材としての角盆状パネル１７は、正面パネル部ＦＰおよび側面パネル部ＳＰに相当する他の色の角盆状パネル１８，１９と交換可能とされる。
【００２６】
実施の形態１〜３では、配電盤正面からの視認性は良いが、配電盤側面からの視認性が低い。しかし、この実施の形態４の方式では側面からでもパネルの色の識別が容易である。
【００２７】
この発明に係る実施の形態４では、表示部２と操作部３とを有し配電盤などの盤装置本体ＰＢに搭載される保護継電装置または計測装置などの電気機器からなる機器要素１を備え、前記機器要素１は盤装置本体ＰＢの盤面に設けられる四辺形の正面パネル部ＦＰ全体に設けられる四辺形の角盆状パネル１７を有し、正面パネル部ＦＰとしての角盆状パネル１７に正面パネル部ＦＰの周縁に連接して前記盤装置本体の盤面に側面パネル部ＳＰが設けられ、正面パネル部ＦＰとしての角盆状パネル１７の正面部分には表示部２の表示画面領域を設定するための画面領域設定部分ＤＲと前記操作部３の操作画面領域を設定するための画面領域設定部分ＰＲとが形成されるとともに、正面パネル部ＦＰおよび側面パネル部ＳＰに相当する角盆状パネル１７からなる盤面部材を前記角盆状パネル１７からなる盤面部材全体に相当する他の色の盤面部材と交換可能としたものであって、画面領域設定部分ＤＲ，ＰＲが形成された正面パネル部ＦＰおよび側面パネル部ＳＰに相当する角盆状パネル１７からなる盤面部材を他の色の盤面部材と交換可能としたものである。
この構成により、盤装置における盤面の色表示を容易に変更することができ、盤装置の盤面につき色表示に関する仕様変更が発生した場合も、容易に対処可能となるとともに、側面からでも色の識別が容易であり、識別機能を向上できる。
【００２８】
実施の形態５．
この発明に係る実施の形態５を図１０および図１１について説明する。図１０は保護継電装置または計測装置からなる機器要素の表示部において使用するＬＣＤバックライトまたはＬＥＤ等の発光素子における点灯色を用途によって変更可能とした方式を示すものである。図１０（ａ）は、表示部２０の点灯色を色識別のための特定の色に変えた例を示す。なお、電流や電圧等の表示内容を確認する場合は、図１０（ｂ）に示すように標準の表示色を呈する表示部２１の状態に切り替えを行ってから実施する。図１１は図１０の機器要素１を配電盤などの盤装置本体ＰＢに搭載した状態の斜視図である。
【００２９】
この実施の形態５においては、前述した実施の形態１〜４のものと同様に、表示部２０と操作部３とを有し配電盤などの盤装置本体ＰＢに搭載される保護継電装置または計測装置などの電気機器からなる機器要素１を備え、機器要素１は前記盤装置本体ＰＢの盤面に設けられる正面パネル部ＦＰを有し、前記盤装置本体の盤面における正面パネル部ＦＰには表示部２０の表示画面領域と操作部３の操作画面領域とが設定されている。そして、表示部２０の表示画面はＬＣＤと称される液晶表示装置などの光源としてバックライトを有する表示装置またはＬＥＤなどの発光素子を用いた表示装置によって構成され、前記バックライトを有する表示装置の光源色または前記発光素子を有する表示装置の点灯色を変更することで、盤装置の盤面における用途識別を可能としている。
また、操作部３の操作画面をＬＣＤと称される液晶表示装置などの光源としてバックライトを有する表示装置またはＬＥＤなどの発光素子を用いた表示装置によって構成し、前記バックライトを有する表示装置の光源色または前記発光素子を有する表示装置の点灯色を変更することで、盤装置本体ＰＢの盤面における用途識別を可能とすることもできる。操作部３の操作画面で操作作業を行う場合は、表示部２０の場合と同様に標準の表示色を呈する操作部３の状態に切り替えを行ってから実施する。
さらに、表示部２０の表示画面と操作部３の操作画面との双方をＬＣＤと称される液晶表示装置などの光源としてバックライトを有する表示装置またはＬＥＤなどの発光素子を用いた表示装置によって構成し、表示部２０の表示画面および操作部３の操作画面において前記バックライトを有する表示装置の光源色または前記発光素子を有する表示装置の点灯色を変更することで、盤装置本体ＰＢの盤面における用途識別を可能とすることができる。
【００３０】
実施の形態１〜４では、用途変更の場合に表示部周辺のパネルまたはシートを交換する必要があるが、この実施の形態５の方式では装置の設定変更のみで対応が可能である。
【００３１】
この発明に係る実施の形態５では、表示部２０と操作部３とを有し配電盤などの盤装置本体ＰＢに搭載される保護継電装置または計測装置などの電気機器からなる機器要素１を備え、前記機器要素１は前記盤装置本体ＰＢの盤面に設けられる正面パネル部ＦＰを有し、前記盤装置本体の盤面における正面パネル部ＦＰには表示部２０の表示画面領域と操作部３の操作画面領域とが設定されているとともに、表示部２０の表示画面と操作部３の操作画面との少なくとも一方はＬＣＤと称される液晶表示装置などの光源としてバックライトを有する表示装置またはＬＥＤなどの発光素子を用いた表示装置によって構成され、前記バックライトを有する表示装置の光源色または前記発光素子を有する表示装置の点灯色を変更することで、盤装置の盤面における用途識別を可能とした。
この構成により、盤装置における盤面の色表示を表示部２０の表示画面または操作部３の操作画面における画面設定を変更するだけで容易に変更することができ、盤装置の盤面につき色表示に関する仕様変更が発生した場合も、容易に対処可能となる。
表示部２０の表示画面は作業員が常に注視しているものであり、表示画面の色の変化により盤装置本体ＰＢの盤面における色による識別機能を効果的に遂行することができる。
また、操作部３の操作画面は作業員が操作時に集中的に注視しているものであり、操作画面の色の変化により盤装置本体ＰＢの盤面における色による識別機能を効果的に遂行することができる。
【００３２】
実施の形態６．
この発明に係る実施の形態６を図１２について説明する。図１２は保護継電装置または計測装置からなる機器要素の正面パネル部をＬＣＤと称される液晶表示装置などのバックライトを有する表示装置またはＬＥＤなどの発光素子を有する表示装置で構成したものである。
【００３３】
この実施の形態６においては、前述した実施の形態１〜４のものと同様に、表示部２と操作部３とを有し配電盤などの盤装置本体に搭載される保護継電装置または計測装置などの電気機器からなる機器要素１を備え、前記機器要素１は前記盤装置本体ＰＢの盤面に設けられる正面パネル部ＦＰを有し、前記盤装置本体の盤面における正面パネル部ＦＰには表示部２の表示画面領域を設定するための画面領域設定部分ＤＲと操作部３の操作画面領域を設定するための画面領域設定部分ＰＲが形成されている。そして、画面領域設定部分ＤＲ，ＰＲを除く正面パネル部ＦＰに相当するパネル２２がＬＣＤと称される液晶表示装置などのバックライトを有する表示装置またはＬＥＤなどの発光素子を用いた表示装置で構成され、前記バックライトを有する表示装置の光源色または前記発光素子を用いた表示装置の点灯色を変更することで、色による識別を可能としている。
【００３４】
この実施の形態６では、用途によるパネルの色の変更がパネルを構成する盤面部材を変えること無く、設定を変えるだけで変更できる上に、ＬＣＤと称される液晶表示装置などのバックライトを有する表示装置またはＬＥＤなどの発光素子を有する表示装置による発光で用途を示すことができるのでより認識性が向上する。
【００３５】
この発明に係る実施の形態６では、表示部２と操作部３とを有し配電盤などの盤装置本体ＰＢに搭載される保護継電装置または計測装置などの電気機器からなる機器要素１を備え、前記機器要素１は前記盤装置本体の盤面に設けられる正面パネル部ＦＰを有し、前記盤装置本体の盤面における正面パネル領域ＦＰには表示部２の表示画面領域を設定するための画面領域設定部分ＤＲと操作部３の操作画面領域を設定するための画面領域設定部分ＰＲが形成されるとともに、画面領域設定部分ＤＲ，ＰＲを除く正面パネル部ＦＰとしての正面パネル２２がＬＣＤと称される液晶表示装置などのバックライトを有する表示装置またはＬＥＤなどの発光素子を有する表示装置で構成され、正面パネル２２を構成する前記バックライトを有する表示装置の光源色または前記発光素子を用いた表示装置の点灯色を変更することで、色による識別を可能とした。
この構成により、盤装置における盤面の色表示を正面パネル部ＦＰに正面パネル２２として設けた表示装置の画面設定を変更するだけで容易に変更することができ、盤装置の盤面につき色表示に関する仕様変更が発生した場合も、容易に対処可能となる。
機器要素１における正面パネル部ＦＰは作業員が常に対面しているものであり、正面パネル部ＦＰの色の変化により盤装置本体ＰＢの盤面における色による識別機能を効果的に遂行することができる。
【００３６】
なお、本発明は、その発明の範囲内において、各実施の形態の一部または全部を自由に組み合わせたり、各実施の形態を適宜、変形、省略することが可能である。
【符号の説明】
【００３７】
１：保護継電装置または計測装置（機器要素）
２：表示部
３：操作部
４：正面パネル（盤面部材）：標準色パネル(色１)
５：正面パネル（盤面部材）：交換用パネル(色２)
６：正面パネル（盤面部材）：交換用パネル(色３)
７：受電用の配電盤単体
８：母線用の配電盤単体
９：フィーダ用の配電盤単体
１０：予備の配電盤単体
１１：短冊状パネル（盤面部材）：標準色パネル(色１)
１２：短冊状パネル（盤面部材）：交換用パネル(色２)
１３：短冊状パネル（盤面部材）：交換用パネル(色３)
１４：短冊状パネル（盤面部材）：標準色パネル(色１)
１５：短冊状パネル（盤面部材）：交換用パネル(色２)
１６：短冊状パネル（盤面部材）：交換用パネル(色３)
１７：角盆状パネル（盤面部材）：標準色パネル(色１)
１８：角盆状パネル（盤面部材）：交換用パネル(色２)
１９：角盆状パネル（盤面部材）：交換用パネル(色３)
２０：表示部：指定した色で点灯した状態
２１：表示部：標準色で点灯した状態
２２：正面パネル（表示装置）
【図１】
2018047521.tif 000003
【図２】
2018047521.tif 000004
【図３】
2018047521.tif 000005
【図４】
2018047521.tif 000006
【図５】
2018047521.tif 000007
【図６】
2018047521.tif 000008
【図７】
2018047521.tif 000009
【図８】
2018047521.tif 000010
【図９】
2018047521.tif 000011
【図１０】
2018047521.tif 000012
【図１１】
2018047521.tif 000013
【図１２】
2018047521.tif 000014
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
表示部と操作部とを有し盤装置本体に搭載される機器要素を備え、前記機器要素は前記盤装置本体の盤面に設けられる四辺形の正面パネル部を有し、前記正面パネル部には前記表示部の表示画面領域と前記操作部の操作画面領域とを設定するための画面領域設定部分が形成されるとともに、前記正面パネル部全体もしくはその一部を前記正面パネル部全体に相当する他の色の盤面部材もしくは前記正面パネル部の対向する二辺間を結ぶ所定幅を持つ他の色の盤面部材と交換可能とすると共に、
前記正面パネル部の一部を、前記表示部または前記操作部の表示画面領域を設定するための画面領域設定部分を含み前記正面パネル部の対向する二辺間を結ぶ所定幅を持つ他の色の盤面部材と交換可能としたことを特徴とする盤装置。
【請求項２】
表示部と操作部とを有し盤装置本体に搭載される機器要素を備え、前記機器要素は前記盤装置本体の盤面に設けられる四辺形の正面パネル部を有し、前記正面パネル部には前記表示部の表示画面領域と前記操作部の操作画面領域とを設定するための画面領域設定部分が形成されるとともに、前記正面パネル部全体もしくはその一部を前記正面パネル部全体に相当する他の色の盤面部材もしくは前記正面パネル部の対向する二辺間を結ぶ所定幅を持つ他の色の盤面部材と交換可能とすると共に、
前記正面パネル部の周縁に連接して前記盤装置本体の盤面に設けられる側面パネル部を有するとともに、前記正面パネル部と前記側面パネル部とを前記正面パネル部および前記側面パネル部に相当する他の色の盤面部材と交換可能としたことを特徴とする盤装置。
【手続補正２】
【補正対象書類名】明細書
【補正対象項目名】０００５
【補正方法】変更
【補正の内容】
【０００５】
この発明に係る盤装置は、表示部と操作部とを有し盤装置本体に搭載される機器要素を備え、前記機器要素は前記盤装置本体の盤面に設けられる四辺形の正面パネル部を有し、前記正面パネル部には前記表示部の表示画面領域と前記操作部の操作画面領域とを設定するための画面領域設定部分が形成されるとともに、前記正面パネル部全体もしくはその一部を前記正面パネル部全体に相当する他の色の盤面部材もしくは前記正面パネル部の対向する二辺間を結ぶ所定幅を持つ他の色の盤面部材と交換可能とすると共に、前記正面パネル部の一部を、前記表示部または前記操作部の表示画面領域を設定するための画面領域設定部分を含み前記正面パネル部の対向する二辺間を結ぶ所定幅を持つ他の色の盤面部材と交換可能としたものである。
【国際調査報告】
2018047521.tif 000015
2018047521.tif 000016
2018047521.tif 000017
2018047521.tif 000018